(57)【特許請求の範囲】
【請求項１】
筐体の背面に設けられた撮影部と、
前記撮影部による撮影によって得られた画像である自機撮影画像を他の携帯機器に送信するとともに、前記他の携帯機器において撮影が行われ、前記他の携帯機器から送信されてきた画像である他機撮影画像を受信する通信部と、
前記筐体の正面に設けられ、前記他機撮影画像を表示する表示部と、
前記筐体のいずれの側面にユーザが触れているのかを検出する検出部と、
前記筐体の側面に前記ユーザが触れたことが検出されたことに応じて、前記通信部により最後に受信された前記他機撮影画像を前記表示部に表示させる表示制御部と
を備える携帯機器。
【請求項２】
前記自機撮影画像と前記他機撮影画像を記憶する記憶部をさらに備え、
前記表示制御部は、前記記憶部に記憶された前記自機撮影画像と前記他機撮影画像の中から所定の画像を選択し、前記表示部に表示させる
請求項１に記載の携帯機器。
【請求項３】
前記検出部は、前記筐体の上下の側面と左右の側面のうちのいずれの対向する側面にユーザが触れているのかと、対向する側面に対する前記ユーザの押下操作を検出する
請求項１または２に記載の携帯機器。
【請求項４】
前記撮影部は、上下の側面と左右の側面のうちの一方の側面に前記ユーザが触れたことが検出された場合、前記一方の側面に対する押下操作が行われたことに応じて撮影を行う
請求項３に記載の携帯機器。
【請求項５】
前記筐体に加えられた位置の変化を検出する変位検出部をさらに備える
請求項４に記載の携帯機器。
【請求項６】
前記表示制御部は、他方の側面に前記ユーザが触れたことが検出された場合、前記他方の側面に対する押下操作が行われているときに前記位置の変化が検出されたことに応じて、前記表示部に表示させる画像を切り替える
請求項５に記載の携帯機器。
【請求項７】
前記通信部は、切り替えて表示された画像の識別情報を前記他の携帯機器に送信し、
前記他の携帯機器においては、前記識別情報により識別される画像が表示される
請求項６に記載の携帯機器。
【請求項８】
前記表示部は、自発光型であり、かつ透過型のディスプレイにより構成され、
前記表示制御部は、前記表示部の表示領域全体のうち、背面側に遮光部材が設けられる領域に１枚の画像を表示させ、背面側に前記遮光部材が設けられていない領域に他の画像の一部を表示させる
請求項６または７に記載の携帯機器。
【請求項９】
前記表示制御部は、前記一方の側面または他方の側面に前記ユーザが触れたことが検出された場合、前記位置の変化が検出されたことに応じて、前記表示部に表示させている画像の状態を変化させる
請求項５に記載の携帯機器。
【請求項１０】
前記通信部は、前記表示部に表示されている画像の識別情報と、検出された前記位置の変化に関する情報を前記他の携帯機器に送信し、
前記他の携帯機器においては、前記識別情報により識別される画像が表示され、前記位置の変化に関する情報に応じて状態を変化させる処理が行われる
請求項９に記載の携帯機器。
【請求項１１】
前記表示部は、自発光型であり、かつ透過型のディスプレイにより構成され、
前記表示制御部は、前記表示部の表示領域全体のうちの背面側に遮光部材が設けられている領域に表示させている１枚の画像の表示位置を、前記表示領域の範囲内で移動させる
請求項９または１０に記載の携帯機器。
【請求項１２】
前記表示部は、自発光型であり、かつ透過型のディスプレイにより構成され、
前記表示制御部は、前記表示部の表示領域全体のうちの背面側に遮光部材が設けられている領域に１枚の画像を表示させ、背面側に前記遮光部材が設けられていない領域にアイコンを表示させる
請求項１乃至７のいずれかに記載の携帯機器。
【請求項１３】
前記通信部は、前記携帯機器と前記他の携帯機器の双方とネットワークを介して接続され、前記携帯機器と前記他の携帯機器とを対応付けて管理する管理装置を介して、撮影によって得られた前記自機撮影画像を前記他の携帯機器に送信し、前記他の機器から送信されてきた前記他機撮影画像を受信する
請求項１乃至１２のいずれかに記載の携帯機器。
【請求項１４】
筐体の背面に設けられた撮影部により撮影し、
前記撮影部による撮影によって得られた画像である自機撮影画像を他の携帯機器に通信部から送信し、
前記他の携帯機器において撮影が行われ、前記他の携帯機器から送信されてきた画像である他機撮影画像を前記通信部により受信し、
前記筐体の正面に設けられた表示部に前記他機撮影画像を表示し、
前記筐体のいずれの側面にユーザが触れているのかを検出部により検出し、
前記筐体の側面に前記ユーザが触れたことが検出されたことに応じて、前記通信部により最後に受信された前記他機撮影画像を前記表示部に表示させる
ステップを含む携帯機器の情報処理方法。
【請求項１５】
筐体の背面に設けられた撮影部により撮影し、
前記撮影部による撮影によって得られた画像である自機撮影画像を他の携帯機器に通信部から送信し、
前記他の携帯機器において撮影が行われ、前記他の携帯機器から送信されてきた画像である他機撮影画像を前記通信部により受信し、
前記筐体の正面に設けられた表示部に前記他機撮影画像を表示し、
前記筐体のいずれの側面にユーザが触れているのかを検出部により検出し、
前記筐体の側面に前記ユーザが触れたことが検出されたことに応じて、前記通信部により最後に受信された前記他機撮影画像を前記表示部に表示させる
ステップを含む処理を携帯機器のコンピュータに実行させるプログラム。
【発明の詳細な説明】
【技術分野】
【０００１】
本技術は、携帯機器、情報処理方法、およびプログラムに関し、特に、撮影した画像を特定の人と容易に共有することができるようにした携帯機器、情報処理方法、およびプログラムに関する。
【背景技術】
【０００２】
近年、いわゆるスマートフォンや通信機能を有するデジタルスチルカメラなどの、撮影機能と通信機能を有する携帯機器が普及してきている。
【０００３】
撮影機能と通信機能を用いたアプリケーションとして、例えば、撮影した画像をサーバにアップロードし、友人などの他のユーザに公開するものがある。このようなアプリケーションを利用することにより、ユーザは、自分が撮影した画像を他のユーザとの間で共有することが可能になる。
【先行技術文献】
【特許文献】
【０００４】
【特許文献１】特表２００９−５０４０９８号公報
【発明の概要】
【発明が解決しようとする課題】
【０００５】
上述したようにして画像を共有する場合、ユーザは、撮影を行った後、ブラウザを起動させて所定のサーバにアクセスし、予め割り当てられたパスワードを入力するなどしてログインを行った後、撮影によって得られた画像の中から画像を選択し、画像をアップロードさせるなどの操作を行う必要がある。
【０００６】
このような操作は、筐体が小さく、小型のディスプレイや小さいボタンしか設けられていない機器において行う場合には特に煩雑になる。
【０００７】
本技術はこのような状況に鑑みてなされたものであり、撮影した画像を特定の人と容易に共有することができるようにするものである。
【課題を解決するための手段】
【０００８】
本技術の一側面の携帯機器は、筐体の背面に設けられた撮影部と、前記撮影部による撮影によって得られた画像である自機撮影画像を他の携帯機器に送信するとともに、前記他の携帯機器において撮影が行われ、前記他の携帯機器から送信されてきた画像である他機撮影画像を受信する通信部と、前記筐体の正面に設けられ、前記他機撮影画像を表示する表示部と、前記筐体のいずれの側面にユーザが触れているのかを検出する検出部と、前記筐体の側面に前記ユーザが触れたことが検出されたことに応じて、前記通信部により最後に受信された前記他機撮影画像を前記表示部に表示させる表示制御部とを備える。
【０００９】
前記自機撮影画像と前記他機撮影画像を記憶する記憶部をさらに備え、前記表示制御部は、前記記憶部に記憶された前記自機撮影画像と前記他機撮影画像の中から所定の画像を選択し、前記表示部に表示させることができる。
【００１０】
前記検出部には、前記筐体の上下の側面と左右の側面のうちのいずれの対向する側面にユーザが触れているのかと、対向する側面に対する前記ユーザの押下操作を検出させることができる。
【００１２】
前記撮影部には、上下の側面と左右の側面のうちの一方の側面に前記ユーザが触れたことが検出された場合、前記一方の側面に対する押下操作が行われたことに応じて撮影を行わせることができる。
【００１３】
前記筐体に加えられた位置の変化を検出する変位検出部をさらに設けることができる。
【００１４】
前記表示制御部には、他方の側面に前記ユーザが触れたことが検出された場合、前記他方の側面に対する押下操作が行われているときに前記位置の変化が検出されたことに応じて、前記表示部に表示させる画像を切り替えさせることができる。
【００１５】
前記通信部には、切り替えて表示された画像の識別情報を前記他の携帯機器に送信させることができる。この場合、前記他の携帯機器においては、前記識別情報により識別される画像が表示される。
【００１６】
前記表示部を、自発光型であり、かつ透過型のディスプレイにより構成することができる。この場合、前記表示制御部には、前記表示部の表示領域全体のうち、背面側に遮光部材が設けられる領域に１枚の画像を表示させ、背面側に前記遮光部材が設けられていない領域に他の画像の一部を表示させることができる。
【００１７】
前記表示制御部には、前記一方の側面または他方の側面に前記ユーザが触れたことが検出された場合、前記位置の変化が検出されたことに応じて、前記表示部に表示させている画像の状態を変化させることができる。
【００１８】
前記通信部には、前記表示部に表示されている画像の識別情報と、検出された前記位置の変化に関する情報を前記他の携帯機器に送信させることができる。この場合、前記他の携帯機器においては、前記識別情報により識別される画像が表示され、前記位置の変化に関する情報に応じて状態を変化させる処理が行われる。
【００１９】
前記表示部を、自発光型であり、かつ透過型のディスプレイにより構成することができる。この場合、前記表示制御部には、前記表示部の表示領域全体のうちの背面側に遮光部材が設けられている領域に表示させている１枚の画像の表示位置を、前記表示領域の範囲内で移動させることができる。
【００２０】
前記表示部を、自発光型であり、かつ透過型のディスプレイにより構成することができる。この場合、前記表示制御部には、前記表示部の表示領域全体のうちの背面側に遮光部材が設けられている領域に１枚の画像を表示させ、背面側に前記遮光部材が設けられていない領域にアイコンを表示させることができる。
【００２１】
前記通信部には、前記携帯機器と前記他の携帯機器の双方とネットワークを介して接続され、前記携帯機器と前記他の携帯機器とを対応付けて管理する管理装置を介して、撮影によって得られた前記自機撮影画像を前記他の携帯機器に送信させ、前記他の機器から送信されてきた前記他機撮影画像を受信させることができる。
【００２２】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００２３】
本技術の一側面においては、筐体の背面に設けられた撮影部により撮影が行われ、前記撮影部による撮影によって得られた画像である自機撮影画像が他の携帯機器に通信部から送信される。また、前記他の携帯機器において撮影が行われ、前記他の携帯機器から送信されてきた画像である他機撮影画像が前記通信部により受信され、前記筐体の正面に設けられた表示部に前記他機撮影画像が表示される。前記筐体のいずれの側面にユーザが触れているのかが検出部により検出され、前記筐体の側面に前記ユーザが触れたことが検出されたことに応じて、前記通信部により最後に受信された前記他機撮影画像が前記表示部に表示される。
【発明の効果】
【００２４】
本技術によれば、撮影した画像を特定の人と容易に共有することができる。
【図面の簡単な説明】
【００２５】
【図１】本技術の一実施形態に係る携帯機器の正面の構成例を示す図である。
【図２】携帯機器の背面の構成例を示す図である。
【図３】携帯機器の側面を示す図である。
【図４】携帯機器の持ち方の例を示す図である。
【図５】携帯機器の他の側面を示す図である。
【図６】携帯機器の他の持ち方の例を示す図である。
【図７】情報処理システムの構成例を示す図である。
【図８】携帯機器の動作モードの例を示す図である。
【図９】基本ビューモード時のディスプレイの表示例を示す図である。
【図１０】基本ビューモード時のディスプレイの他の表示例を示す図である。
【図１１】カメラモード時のディスプレイの表示例を示す図である。
【図１２】セレクトモード時のディスプレイの表示例を示す図である。
【図１３】画像の切り替えの例を示す図である。
【図１４】リアクションモード時のディスプレイの表示例を示す図である。
【図１５】上下に振るリアクションが付けられたときの表示例を示す図である。
【図１６】左右に振るリアクションが付けられたときの表示例を示す図である。
【図１７】動作モードの一連の遷移を示す図である。
【図１８】携帯機器のハードウェア構成例を示すブロック図である。
【図１９】制御部の機能構成例を示すブロック図である。
【図２０】携帯機器の処理について説明するフローチャートである。
【図２１】図２０のステップＳ６において行われるカメラモード時の処理について説明するフローチャートである。
【図２２】図２０のステップＳ９において行われるセレクトモード時の処理について説明するフローチャートである。
【図２３】図２０のステップＳ１２において行われるリアクションモード時の処理について説明するフローチャートである。
【図２４】携帯機器の受信処理について説明するフローチャートである。
【図２５】コンピュータの構成例を示すブロック図である。
【発明を実施するための形態】
【００２６】
＜携帯機器の外観構成＞
図１は、本技術の一実施形態に係る携帯機器の正面の構成例を示す図である。
【００２７】
図１に示すように、携帯機器１の正面の形状は、角が丸みを帯びたほぼ正方形の形状を有している。携帯機器１は、基本的に、ディスプレイ１１と、縁部材としてディスプレイ１１を囲むように設けられたフレーム１２から構成される。
【００２８】
後述するように、携帯機器１には加速度センサが内蔵されており、加速度センサの検出結果に基づいて携帯機器１の向きが判断され、上下左右のそれぞれの側面が特定される。すなわち、ユーザが携帯機器１を持つ向きによっては、図１の下側面、左側面、右側面がそれぞれ上側面になることもある。以下、図１の向きを基準として説明する。
【００２９】
上側面と左側面を繋ぐフレーム１２の左上の曲面部分にはＵ字型のホルダ１３が設けられる。ユーザは、ホルダ１３に形成される孔部１３Ａにストラップなどを通し、携帯機器１を首からぶら下げて携帯したり、携帯電話機などに繋げて携帯したりすることができる。
【００３０】
携帯機器１の大きさは、フレーム１２により形成される上側面と下側面、または左側面と右側面の対向する側面を、親指と人差し指などの片方の手の二本の指で挟むことによって筐体を持つことが可能な大きさとされる。ユーザは、携帯機器１の筐体を片手でつまむようにして持ち、ディスプレイ１１の表示を見たりすることができる。
【００３１】
ディスプレイ１１は、例えば有機ELディスプレイなどの自発光型のディスプレイであり、かつ透過型のディスプレイである。ディスプレイ１１の表示領域全体のうち、領域２１は、背面側に遮光部材が設けられている非透過領域であり、領域２１を囲むようにして形成される領域２２は、背面側に遮光部材が設けられていない透過領域である。
【００３２】
領域２１には例えば撮影された１枚の画像が表示される。遮光部材が背面側に設けられているから、領域２１の画像は高いコントラストで表示されることになる。一方、領域２２に表示されるアイコンなどの画像は、ユーザにとって、携帯機器１の背面側の風景に重ねて見えるように表示されることになる。
【００３３】
図２は、携帯機器１の背面の構成例を示す図である。
【００３４】
ディスプレイ１１のほぼ中央には遮光部材３１が取り付けられる。遮光部材３１の内部に、ディスプレイ１１の表示を制御する回路やバッテリなどの電気的な構成が設けられる。
【００３５】
遮光部材３１の所定の位置にはカメラ３２が設けられる。すなわち、携帯機器１は、カメラとしての機能と、撮影した画像を表示するフォトフレームとしての機能を有する。携帯機器１の筐体の大きさが比較的小さいこともあって、ユーザは、携帯機器１を気軽に持ち運んで撮影を行ったり画像を見たりすることができる。
【００３６】
図３Ａは携帯機器１の上側面を示す図であり、図３Ｂは携帯機器１の下側面を示す図である。図３Ａにおいては左側が携帯機器１の正面側となり、右側が携帯機器１の背面側となる。一方、図３Ｂにおいては右側が携帯機器１の正面側となり、左側が携帯機器１の背面側となる。
【００３７】
図３Ａおよび図３Ｂに示すように携帯機器１の筐体は所定の厚みを有している。上側面１２Ｔにはタッチセンサ４１Ｔが設けられ、下側面１２Ｂにはタッチセンサ４１Ｂが設けられる。図４に示すようにユーザが上側面１２Ｔと下側面１２Ｂを二本の指で挟んで携帯機器１を持ったとき、そのことがタッチセンサ４１Ｔと４１Ｂにより検出される。
【００３８】
図３Ａにおいて破線で示すように、タッチセンサ４１Ｔの下（筐体の内側）にはスイッチ４２Ｔが設けられる。また、図３Ｂにおいて破線で示すように、タッチセンサ４１Ｂの下にはスイッチ４２Ｂが設けられる。ユーザは、上側面１２Ｔと下側面１２Ｂを二本の指で携帯機器１を持った図４の状態から、白抜き矢印で示すように携帯機器１の内部方向に力を入れ、スイッチ４２Ｔ，４２Ｂの押下操作を行うことができる。
【００３９】
図５Ａは携帯機器１の左側面を示す図であり、図５Ｂは携帯機器１の右側面を示す図である。図５Ａにおいては右側が携帯機器１の正面側となり、左側が携帯機器１の背面側となる。一方、図５Ｂにおいては左側が携帯機器１の正面側となり、右側が携帯機器１の背面側となる。
【００４０】
左側面１２Ｌにはタッチセンサ４１Ｌが設けられ、右側面１２Ｒにはタッチセンサ４１Ｒが設けられる。図６に示すようにユーザが左側面１２Ｌと右側面１２Ｒを二本の指で挟んで携帯機器１を持ったとき、そのことがタッチセンサ４１Ｌと４１Ｒにより検出される。
【００４１】
図５Ａと図５Ｂにおいて破線で示すように、タッチセンサ４１Ｌの下にはスイッチ４２Ｌが設けられ、タッチセンサ４１Ｒの下にはスイッチ４２Ｒが設けられる。ユーザは、左側面１２Ｌと右側面１２Ｒを二本の指で携帯機器１を持った図６の状態から、白抜き矢印で示すように携帯機器１の内部方向に力を入れ、スイッチ４２Ｌ，４２Ｒの押下操作を行うことができる。
【００４２】
以下、適宜、タッチセンサ４１Ｔ，４１Ｂ，４１Ｌ，４１Ｒをそれぞれ区別する必要がない場合、まとめてタッチセンサ４１という。また、スイッチ４２Ｔ，４２Ｂ，４２Ｌ，４２Ｒをそれぞれ区別する必要がない場合、まとめてスイッチ４２という。
【００４３】
携帯機器１を用いた撮影機能や画像の閲覧機能が、図４と図６に示すような携帯機器１の持ち方によって、またはスイッチ４２の操作に応じて切り替えられる。
【００４４】
携帯機器１には、無線LAN(Local Area Network)などによる無線通信の機能も搭載されている。携帯機器１は、撮影した画像を他の携帯機器に送信したり、他の携帯機器において撮影され、他の携帯機器から送信されてきた画像を受信して表示したりすることができる。
【００４５】
＜情報処理システムの構成＞
図７は、情報処理システムの構成例を示す図である。
【００４６】
図７の情報処理システムは、携帯機器１と携帯機器１０１がインターネット１０２を介して接続されることによって構成される。携帯機器１０１は、携帯機器１と同じ構成と機能を有し、携帯機器１のユーザとは異なるユーザが携帯する機器である。
【００４７】
インターネット１０２には管理サーバ１０３も接続される。管理サーバ１０３は、携帯機器１と携帯機器１０１を対応付けて管理する。例えば、管理サーバ１０３は、IPアドレスなどの携帯機器１の識別情報と携帯機器１０１の識別情報を紐付けて記憶することによって、携帯機器１と携帯機器１０１を対応付けて管理する。
【００４８】
携帯機器１と携帯機器１０１は例えばセットで販売される。携帯機器１と携帯機器１０１の対応付けは販売前に行われており、携帯機器１と携帯機器１０１のそれぞれの識別情報は管理サーバ１０３に予め記憶されている。図示していないが、管理サーバ１０３においては、携帯機器１と携帯機器１０１のペア以外の携帯機器のペアも対応付けて管理されている。
【００４９】
このような構成を有する情報処理システムにおいて、例えば携帯機器１のユーザにより携帯機器１を用いて撮影が行われたとき、撮影によって得られた画像が携帯機器１から管理サーバ１０３に送信される（アップロードされる）。携帯機器１から管理サーバ１０３に対する画像の送信は、画像の撮影が行われる毎に、例えばユーザの操作によらずに自動的に行われる。
【００５０】
携帯機器１から送信されてきた画像を受信した管理サーバ１０３は、記憶している識別情報に基づいて、画像の送信元の機器である携帯機器１と対応付けて管理している機器が携帯機器１０１であることを特定する。また、管理サーバ１０３は、特定した携帯機器１０１を送信先とし、携帯機器１から送信されてきた画像を送信する。
【００５１】
携帯機器１０１は、管理サーバ１０３から送信されてきた画像を受信し、受信した画像を表示する。携帯機器１０１のユーザは、携帯機器１のユーザにより撮影され、送信された画像を閲覧することができる。
【００５２】
これにより、携帯機器１のユーザは、撮影を行う毎に、携帯機器１０１のユーザとの間で画像を共有することができ、自分が見て撮影した対象を携帯機器１０１のユーザにも見てもらうことで意思を伝達することが可能になる。
【００５３】
また、管理サーバ１０３が管理するサイトにアクセスしたり、パスワードを入力してログインを行ったりする必要がないから、携帯機器１のユーザは画像の共有を容易に行うことができる。画像の共有のために各種の操作を行う必要があるとした場合、特に小型の機器においてはボタンが小さかったり、ディスプレイが小さかったりして煩雑になってしまうが、そのような煩雑な操作をユーザは行わないで済む。
【００５４】
一方、携帯機器１０１のユーザにより携帯機器１０１を用いて撮影が行われたとき、撮影によって得られた画像が携帯機器１０１から管理サーバ１０３に送信される。
【００５５】
携帯機器１０１から送信されてきた画像を受信した管理サーバ１０３は、記憶している識別情報に基づいて、画像の送信元の機器である携帯機器１０１と対応付けて管理している機器が携帯機器１であることを特定する。また、管理サーバ１０３は、特定した携帯機器１を送信先とし、携帯機器１０１から送信されてきた画像を送信する。
【００５６】
携帯機器１は、管理サーバ１０３から送信されてきた画像を受信し、受信した画像を表示する。携帯機器１のユーザは、携帯機器１０１のユーザにより撮影され、送信された画像を閲覧することができる。
【００５７】
携帯機器１０１のユーザも同様に、撮影を行う毎に携帯機器１のユーザとの間で画像を共有することができ、意思を伝達することが可能になる。
【００５８】
このように、携帯機器１のユーザと携帯機器１０１のユーザとの間では、文章や音声などによって意思を直接伝える直接的なコミュニケーションとは異なり、自分が撮影した画像を用いたいわば感覚的なコミュニケーションが実現される。
【００５９】
以下、携帯機器１の構成と機能について主に説明するが、同じ構成と機能を携帯機器１０１も有している。適宜、携帯機器１の構成を携帯機器１０１の構成として引用して説明する。
【００６０】
＜携帯機器の動作モード＞
図８は、携帯機器１の動作モードの例を示す図である。
【００６１】
携帯機器１の動作モードには、ディスプレイ１１の表示がオフになるスタンバイモードの他に、基本ビューモード、カメラモード、セレクトモード、およびリアクションモードが用意される。
【００６２】
詳細については後述するが、基本ビューモードは、相手（携帯機器１０１のユーザ）から送信されてきた画像などを閲覧するモードである。カメラモードは、撮影を行い、撮影によって得られた画像を相手に送信するモードである。セレクトモードは、自分が撮影した画像や相手から送信されてきた画像の中から所定の画像を選択するモードである。リアクションモードは、画像を送信してきた相手に対してリアクションを返すモードである。
【００６３】
矢印Ａ１乃至Ａ３に示すように、基本ビューモードから、カメラモード、セレクトモード、リアクションモードのそれぞれの動作モードへの遷移が可能とされる。また、カメラモード、セレクトモード、リアクションモードのそれぞれの動作モードから、基本ビューモードへの遷移が可能とされる。
【００６４】
［基本ビューモード］
図９は、基本ビューモード時のディスプレイ１１の表示例を示す図である。
【００６５】
基本ビューモードは、例えばスタンバイモードのときに、筐体が触られたことがタッチセンサ４１により検出されたことに応じて設定される。
【００６６】
基本ビューモードが設定されたとき、ディスプレイ１１の表示がオンとなり、領域２１には、携帯機器１０１との間で同期が行われた画像である同期画像が表示される。同期画像が複数ある場合、例えば最後の同期画像が表示される。
【００６７】
同期画像は、携帯機器１において、カメラモード時に撮影された画像、セレクトモード時に選択された画像、リアクションモード時にリアクションが付けられた画像である。これらの画像は、後述するように、携帯機器１のディスプレイ１１に表示されるとともに、携帯機器１０１のディスプレイ１１にも表示される。
【００６８】
また、携帯機器１０１において、カメラモード時に撮影された画像、セレクトモード時に選択された画像、リアクションモード時にリアクションが付けられた画像も同期画像となる。これらの画像は、携帯機器１０１において撮影等が行われることに応じて、携帯機器１０１のディスプレイ１１に表示されるとともに、携帯機器１のディスプレイ１１にも表示される。
【００６９】
基本ビューモードは、上下左右のいずれかの側面にユーザが触れたときに設定される。ユーザは携帯機器１をどの向きに持っても画像を見ることができる。
【００７０】
図９に示すようにユーザが上側面と下側面を挟むように携帯機器１を持っている場合、透過領域である領域２２の位置のうち、領域２１の左側の位置にはカメラアイコン１１１が表示される。カメラアイコン１１１は、カメラの画像とカメラを上下から挟む矢印の画像から構成される。カメラアイコン１１１は、上側面のスイッチ４２Ｔと下側面のスイッチ４２Ｂを同時に押すことによってカメラモードに遷移させることができることを表す。
【００７１】
また、領域２１の右側の位置にはリアクションアイコン１１２が表示される。リアクションアイコン１１２は、四角の画像と、四角の画像の上下に配置された振動を表す画像から構成される。リアクションアイコン１１２は、筐体を上下に振ることによってリアクションモードに遷移させることができることを表す。ユーザが筐体を振っていることは、例えば、携帯機器１に内蔵されている加速度センサの検出結果に基づいて特定される。
【００７２】
このように、上側面と下側面を挟むように携帯機器１を持っている場合、ディスプレイ１１には、画像の左右にアイコンが表示される。
【００７３】
図１０は、基本ビューモード時のディスプレイ１１の他の表示例を示す図である。
【００７４】
図１０に示すようにユーザが左側面と右側面を挟むように携帯機器１を持っている場合、領域２２の位置のうち、領域２１の上側の位置にはセレクトアイコン１２１が表示される。セレクトアイコン１２１は、３つの四角を重ねた画像と、３つの四角を左右から挟む矢印の画像から構成される。セレクトアイコン１２１は、左側面のスイッチ４２Ｌと右側面のスイッチ４２Ｒを同時に押すことによってセレクトモードに遷移させることができることを表す。
【００７５】
また、領域２１の下側の位置にはリアクションアイコン１２２が表示される。リアクションアイコン１２２は、図９のリアクションアイコン１１２を横向きにしたものである。リアクションアイコン１２２は、筐体を左右に振ることによってリアクションモードに遷移させることができることを表す。
【００７６】
このように、左側面と右側面を挟むように携帯機器１を持っている場合、ディスプレイ１１には、画像の上下にアイコンが表示される。
【００７７】
［カメラモード］
図１１は、カメラモード時のディスプレイ１１の表示例を示す図である。
【００７８】
カメラモードは、基本ビューモードが設定されている場合において、上側面のスイッチ４２Ｔと下側面のスイッチ４２Ｂが同時に押されたことが検出されたときに設定される。ユーザは、スタンバイモード時、上側面と下側面を挟んで筐体を持つことによって基本ビューモードに遷移させ、その状態から上側面と下側面を同時に押すことによってカメラモードに遷移させることができる。上側面のスイッチ４２Ｔと下側面のスイッチ４２Ｂを同時に押すのではなく、片方を押すことでカメラモードが設定されるようにしてもよい。
【００７９】
カメラモードが設定されたとき、ディスプレイ１１の領域２１には、カメラ３２により取り込まれているライブビューの画像が表示される。ユーザは、領域２１に表示される画像を見て、構図を決定することになる。
【００８０】
領域２１の左側にはカメラアイコン１１１が表示される。図１１のカメラアイコン１１１は、上側面のスイッチ４２Ｔと下側面のスイッチ４２Ｂを同時に押すことによって撮影を行うことができることを表す。なお、カメラモードが設定される前の基本ビューモード時に領域２１の右側に表示されていた図９のリアクションアイコン１１２は、カメラモードが設定されたときに消える。
【００８１】
上側面のスイッチ４２Ｔと下側面のスイッチ４２Ｂが同時に押され、撮影が行われた場合、撮影によって得られた画像は、同期画像として、携帯機器１の内部のメモリに記憶されるとともに携帯機器１０１に送信される。携帯機器１０１においては、携帯機器１から送信されてきた画像が受信され、基本ビューモードが設定されている場合、携帯機器１のユーザにより撮影された画像が表示される。
【００８２】
［セレクトモード］
図１２は、セレクトモード時のディスプレイ１１の表示例を示す図である。
【００８３】
セレクトモードは、基本ビューモードが設定されている場合において、左側面のスイッチ４２Ｌと右側面のスイッチ４２Ｒが同時に押されたことが検出されたときに設定される。ユーザは、スタンバイモード時、左側面と右側面を挟んで筐体を持つことによって基本ビューモードに遷移させ、その状態から左側面と右側面を同時に押すことによってセレクトモードに遷移させることができる。左側面のスイッチ４２Ｌと右側面のスイッチ４２Ｒを同時に押すのではなく、片方を押すことでセレクトモードが設定されるようにしてもよい。
【００８４】
セレクトモードが設定されたとき、ディスプレイ１１の領域２１には、カメラ３２により撮影された画像と携帯機器１０１から送信されてきた画像のうちの所定の画像がメモリから読み出され、表示される。領域２１の左右にはメモリから読み出された他の画像の一部が表示される。
【００８５】
領域２１の上側にはセレクトアイコン１２１が表示される。図１２のセレクトアイコン１２１は、左側面のスイッチ４２Ｌと右側面のスイッチ４２Ｒを押したまま筐体を左または右に傾けることによって、領域２１の画像を切り替えることができることを表す。なお、セレクトモードが設定される前の基本ビューモード時に領域２１の下側に表示されていた図１０のリアクションアイコン１２２は、セレクトモードが設定されることに応じて消える。
【００８６】
左側面のスイッチ４２Ｌと右側面のスイッチ４２Ｒを押したまま筐体が傾けられた場合、傾けられた方向に応じて、領域２１の画像が他の画像に切り替えられる。
【００８７】
図１３は、画像の切り替えの例を示す図である。
【００８８】
ここでは、図１３の中央に示すように、領域２１に画像Ｐ２が表示され、領域２１の左側に画像Ｐ１の右側の一部が表示され、領域２１の右側に画像Ｐ３の左側の一部が表示されている状態を基準の状態として説明する。画像Ｐ１と画像Ｐ３は透過領域である領域２２に表示される画像であるから、領域２１に表示されている画像Ｐ１より薄く見えることになる。画像Ｐ１〜Ｐ３は、携帯機器１により撮影され、メモリに記憶された画像、または、携帯機器１０１から送信され、受信された後にメモリ記憶された画像である。画像Ｐ１〜Ｐ３の並び順は例えば撮影順である。
【００８９】
基準の状態において、左側面のスイッチ４２Ｌと右側面のスイッチ４２Ｒを押したまま筐体が左に傾けられた場合、白抜き矢印Ａ５１の先に示すように、領域２１には、画像Ｐ２の左隣の画像である画像Ｐ１が表示される。また、領域２１の表示が切り替えられることに連動して他の画像の位置も移動する。領域２１に表示された画像Ｐ１の左側には、撮影順で画像Ｐ１の１つ前の画像である画像Ｐ０の右側の一部が表示され、画像Ｐ１の右側には、画像Ｐ２の左側の一部が表示される。
【００９０】
図１３の左側の状態において、左側面のスイッチ４２Ｌと右側面のスイッチ４２Ｒを押したまま筐体が右に傾けられた場合、白抜き矢印Ａ５２の先に示すように、ディスプレイ１１の表示は基準の状態に戻る。
【００９１】
反対に、基準の状態において、左側面のスイッチ４２Ｌと右側面のスイッチ４２Ｒを押したまま筐体が右に傾けられた場合、白抜き矢印Ａ５３の先に示すように、領域２１には、画像Ｐ２の右隣の画像である画像Ｐ３が表示される。また、領域２１に表示された画像Ｐ３の左側には、画像Ｐ２の右側の一部が表示され、画像Ｐ３の右側には、撮影順で画像Ｐ３の１つ後の画像である画像Ｐ４の左側の一部が表示される。
【００９２】
図１３の右側の状態において、左側面のスイッチ４２Ｌと右側面のスイッチ４２Ｒを押したまま筐体が左に傾けられた場合、白抜き矢印Ａ５４の先に示すように、ディスプレイ１１の表示は基準の状態に戻る。
【００９３】
このように、セレクトモード時、ユーザは、領域２１の表示を順次切り替え、相手との画像のやりとりを振り返ることができる。また、画像の一部が領域２２に表示されることによって、ユーザは、領域２１に表示されている画像以外の画像の存在を直感的に認識することができる。
【００９４】
例えば左側面のスイッチ４２Ｌと右側面のスイッチ４２Ｒを押した状態が解除されたとき、そのとき領域２１に表示されている画像が同期画像として選択され、ファイル名などの、選択された画像の識別情報が携帯機器１０１に送信される。画像の選択の仕方は、左側面のスイッチ４２Ｌと右側面のスイッチ４２Ｒから指を離す操作に限られるものではなく、他の操作であってもよい。
【００９５】
携帯機器１０１においては、携帯機器１から送信されてきたファイル名が受信され、基本ビューモードが設定されている場合、受信したファイル名により識別される画像がメモリから読み出され、表示される。携帯機器１のユーザにより選択された画像は、携帯機器１のユーザにより撮影された画像か携帯機器１０１のユーザにより撮影された画像であるから、携帯機器１０１のメモリにも、携帯機器１のユーザにより選択された画像と同じ画像が記憶されている。
【００９６】
携帯機器１のユーザは、セレクトモードを用いて画像を選択することによって、自分が選択して見ている画像と同じ画像を携帯機器１０１のユーザにも見せることができる。
【００９７】
［リアクションモード］
図１４は、リアクションモード時のディスプレイ１１の表示例を示す図である。
【００９８】
リアクションモードは、基本ビューモードが設定されている場合において、筐体が所定の方向に振られたことが検出されたときに設定される。リアクションモード時の領域２１の表示は基本ビューモード時の表示のままである。領域２１には、例えばスタンバイモード時に携帯機器１０１から送信されてきた同期画像が表示される。
【００９９】
ユーザが上側面と下側面を挟むように携帯機器１を持っている場合、基本ビューモード時に領域２１の左右に表示されていた図９のカメラアイコン１１１とリアクションアイコン１１２のうち、リアクションアイコン１１２のみが表示された状態になる。
【０１００】
図示は省略するが、ユーザが左側面と右側面を挟むように携帯機器１を持っている場合、基本ビューモード時に領域２１の上下に表示されていた図１０のセレクトアイコン１２１とリアクションアイコン１２２のうち、リアクションアイコン１２２のみが表示された状態になる。
【０１０１】
図１４の状態で筐体が振られた場合、振られた方向に応じて領域２１の画像にリアクションが付けられる。また、ユーザにより付けられたリアクションを表すように領域２１の画像の状態が変化する。
【０１０２】
図１５は、筐体が上下に振られたときの画像の状態の変化、すなわち、上下に振るリアクションが付けられたときの表示の例を示す図である。図１５において、斜線を付して示す範囲が画像Ｐの表示範囲を示す。
【０１０３】
図１５の最上段に示すディスプレイ１１の状態は、画像Ｐが領域２１に表示されている状態である。この状態において筐体が上下に振られたことが検出された場合、矢印Ａ１１〜Ａ１４の先に示すように、画像Ｐは、ディスプレイ１１の上側、中央（領域２１の位置）、下側、中央といったように上下に位置を変えて表示される。このような表示が所定の時間続けられる。
【０１０４】
図１６は、筐体が左右に振られたときの画像の状態の変化、すなわち、左右に振るリアクションが付けられたときの表示の例を示す図である。図１６の表示は、ユーザが左側面と右側面を挟むように携帯機器１を持っている状態でリアクションモードが設定されたときに行われる。
【０１０５】
図１６の左端に示すディスプレイ１１の状態は、画像Ｐが領域２１に表示されている状態である。この状態において筐体が左右に振られたことが検出された場合、矢印Ａ３１〜Ａ３４の先に示すように、画像Ｐは、ディスプレイ１１の左側、中央、右側、中央といったように左右に位置を変えて表示される。このような表示が所定の時間続けられる。
【０１０６】
リアクションモード時に画像に付けることができるリアクションは、図１５と図１６に示したような表示位置を変えるリアクションに限られない。例えば、振った方向に応じて画像を伸縮して表示させるリアクションであってもよいし、拡大縮小して表示させるリアクションであってもよい。
【０１０７】
リアクションモード時にリアクションが付けられた場合、このようにして画像の状態を変化させて表示する処理が行われるとともに、リアクションが付けられた画像のファイル名とリアクション情報が携帯機器１０１に送信される。リアクション情報には、筐体が振られた方向を表す情報や振られた時間を表す情報などの、ユーザが画像に付けたリアクションの内容を表す情報が含まれる。
【０１０８】
携帯機器１０１においては、携帯機器１から送信されてきたファイル名とリアクション情報が受信され、基本ビューモードが設定されている場合、ファイル名により識別される画像がメモリから読み出され、表示される。また、ディスプレイ１１に表示させた画像の状態を、携帯機器１から送信されてきたリアクション情報に応じて変化させる処理が行われる。携帯機器１０１においても、携帯機器１において表示されていた画像と同じ画像が、同じように状態を変化させて表示されることになる。
【０１０９】
これにより、携帯機器１のユーザは、相手から送信されてきた画像に対してリアクションを付けて返すことができる。また、携帯機器１０１のユーザは、自分が送った画像に対する携帯機器１のユーザのリアクションを確認することができる。携帯機器１のユーザと携帯機器１０１のユーザは、リアクションを通じてコミュニケーションをとることができることになる。
【０１１０】
［動作モードの遷移］
図１７は、以上のような動作モードの一連の遷移を示す図である。
【０１１１】
図１７の左端に示すようにスタンバイモード時に筐体が触られた場合、矢印Ａ５１の先に示すように、携帯機器１の動作モードは基本ビューモードに遷移する。ディスプレイ１１には、スタンバイモード時に携帯機器１０１から送信されてきた画像などの同期画像が表示される。
【０１１２】
基本ビューモード時にユーザが筐体から手を離した場合、矢印Ａ５２の先に示すように、携帯機器１の動作モードはスタンバイモードに遷移する。
【０１１３】
矢印Ａ５３の先に斜線を付して示すように、ユーザが上側面と下側面を挟むように携帯機器１を持っており、上側面のスイッチ４２Ｔと下側面のスイッチ４２Ｂが同時に押された場合、矢印Ａ５４の先に示すように、携帯機器１の動作モードはカメラモードに遷移する。
【０１１４】
カメラモード時に上側面のスイッチ４２Ｔと下側面のスイッチ４２Ｂが同時に押された場合、矢印Ａ５５の先に示すように撮影が行われ、矢印Ａ５６の先に示すように、撮影によって得られた画像の同期が行われる。撮影によって得られた画像が携帯機器１０１に送信され、例えばスタンバイモードの状態にある携帯機器１０１により受信される。
【０１１５】
携帯機器１０１のユーザが携帯機器１０１の筐体を触った場合、携帯機器１０１の動作モードは矢印Ａ５７の先に示すように基本ビューモードに遷移する。携帯機器１０１のディスプレイ１１には、携帯機器１のユーザにより撮影され、携帯機器１から送信されてきた画像が表示される。携帯機器１０１においても同じ画像が表示されるから、カメラモード時に携帯機器１により撮影された画像は同期画像となる。
【０１１６】
一方、矢印Ａ５８の先に斜線を付して示すように、ユーザが左側面と右側面を挟むように携帯機器１を持っており、左側面のスイッチ４２Ｌと右側面のスイッチ４２Ｒが同時に押された場合、矢印Ａ５９の先に示すように、携帯機器１の動作モードはセレクトモードに遷移する。
【０１１７】
セレクトモード時に左側面のスイッチ４２Ｌと右側面のスイッチ４２Ｒを押したまま筐体が傾けられた場合、矢印Ａ６０の先に示すように表示画像の切り替えが行われる。
【０１１８】
所定の画像が選択されたとき、矢印Ａ６１の先に示すように、選択された画像の同期が行われる。携帯機器１のユーザにより選択された画像のファイル名が携帯機器１０１に送信され、例えばスタンバイモードの状態にある携帯機器１０１により受信される。
【０１１９】
携帯機器１０１のユーザが携帯機器１０１の筐体を触った場合、携帯機器１０１の動作モードは矢印Ａ６２の先に示すように基本ビューモードに遷移する。携帯機器１０１のディスプレイ１１には、ファイル名に基づいて識別された、携帯機器１のユーザにより選択された画像と同じ画像が表示される。携帯機器１０１においても同じ画像が表示されるから、セレクトモード時に携帯機器１のユーザにより選択された画像は同期画像となる。
【０１２０】
矢印Ａ５３の先に示すようにユーザが上側面と下側面を挟むように携帯機器１を持っており、その状態で筐体が振られた場合、矢印Ａ６３の先に示すように、携帯機器１の動作モードは基本ビューモードからリアクションモードに遷移する。
【０１２１】
また、矢印Ａ５８の先に示すようにユーザが左側面と右側面を挟むように携帯機器１を持っており、その状態で筐体が振られた場合、矢印Ａ６４の先に示すように、携帯機器１の動作モードは基本ビューモードからリアクションモードに遷移する。
【０１２２】
リアクションモード時に筐体を上下または左右に振ることによってリアクションが付けられた場合、矢印Ａ６６の先に示すように同期が行われる。リアクションが付けられた画像のファイル名とリアクション情報が携帯機器１０１に送信され、例えばスタンバイモードの状態にある携帯機器１０１により受信される。
【０１２３】
携帯機器１０１のユーザが携帯機器１０１の筐体を触った場合、携帯機器１０１の動作モードは矢印Ａ６７の先に示すように基本ビューモードに遷移する。携帯機器１０１のディスプレイ１１には、ファイル名に基づいて識別された、携帯機器１のユーザがリアクションを付けた画像と同じ画像が、リアクション情報に応じて状態を変化させるように表示される。携帯機器１０１においても同じ画像が表示されるから、リアクションモード時に携帯機器１のユーザによりリアクションが付けられた画像は同期画像となる。
【０１２４】
以上のようにして動作モードを遷移させ、ユーザの操作に応じて処理を行う携帯機器１の動作についてはフローチャートを参照して後述する。
【０１２５】
＜携帯機器の構成例＞
図１８は、携帯機器１のハードウェア構成例を示すブロック図である。
【０１２６】
携帯機器１は、上述したディスプレイ１１、カメラ３２、タッチセンサ４１、スイッチ４２の他に、制御部１５１、加速度センサ１５２、メモリ１５３、および通信部１５４から構成される。
【０１２７】
制御部１５１は、所定のプログラムを実行し、携帯機器１の全体の動作を制御する。例えば制御部１５１は、タッチセンサ４１、スイッチ４２、加速度センサ１５２から供給された信号に基づいてユーザの操作を検出し、検出した操作に応じた動作モードを設定して各種の処理を行う。
【０１２８】
加速度センサ１５２は、携帯機器１の筐体に生じた加速度を検出し、検出結果を制御部１５１に出力する。
【０１２９】
メモリ１５３はフラッシュメモリなどよりなり、制御部１５１から供給された画像を記憶する。メモリ１５３には、カメラ３２により撮影された画像と、携帯機器１０１から送信され、通信部１５４により受信された画像が記憶される。メモリ１５３に記憶された画像は制御部１５１により適宜読み出される。
【０１３０】
通信部１５４は、制御部１５１の制御に従って管理サーバ１０３と通信を行い、カメラ３２により撮影され、制御部１５１から供給された画像を管理サーバ１０３に送信する。また、通信部１５４は、管理サーバ１０３から送信されてきた画像を受信し、制御部１５１に出力する。
【０１３１】
図１９は、制御部１５１の機能構成例を示すブロック図である。
【０１３２】
図１９に示す機能部のうちの少なくとも一部は、図１８の制御部１５１により所定のプログラムが実行されることによって実現される。制御部１５１においては、操作検出部１６１、変位検出部１６２、モード管理部１６３、画像管理部１６４、および表示制御部１６５が実現される。
【０１３３】
操作検出部１６１は、４つの側面にそれぞれ設けられたタッチセンサ４１とスイッチ４２からの出力に基づいて、ユーザが筐体の側面に触れていることと、ユーザによるスイッチ４２の押下操作を検出する。操作検出部１６１は、検出したユーザの操作の内容を表す情報をモード管理部１６３、画像管理部１６４、および表示制御部１６５に出力する。
【０１３４】
変位検出部１６２は、加速度センサ１５２により検出された加速度に基づいて、携帯機器１の筐体の向きと、筐体に加えられた変位を検出する。例えば、筐体が振られた方向、大きさなどが変位検出部１６２により検出される。変位検出部１６２は、筐体の向きを表す情報と筐体に加えられた変位を表す情報をモード管理部１６３、画像管理部１６４、および表示制御部１６５に出力する。
【０１３５】
モード管理部１６３は、操作検出部１６１により検出されたユーザの操作と、変位検出部１６２により検出された筐体の向きと筐体に加えられた変位に基づいて、図１７を参照して説明したようにして動作モードを遷移させる。モード管理部１６３は、設定中の動作モードが、スタンバイモード、基本ビューモード、カメラモード、セレクトモード、リアクションモードのうちのいずれのモードであるのかを表す情報を画像管理部１６４と表示制御部１６５に出力する。
【０１３６】
画像管理部１６４は、操作検出部１６１により検出されたユーザの操作と、変位検出部１６２により検出された筐体の向き、筐体に加えられた変位に基づいて、カメラ３２、メモリ１５３、および通信部１５４を制御する。
【０１３７】
例えば、画像管理部１６４は、モード管理部１６３によりカメラモードが設定されている場合、カメラ３２により取り込まれた画像を表示制御部１６５に出力し、ディスプレイ１１に表示させる。また、画像管理部１６４は、上側面のスイッチ４２Ｔと下側面のスイッチ４２Ｂが同時に押された場合、そのときカメラ３２により取り込まれた画像をメモリ１５３に記憶させるとともに、通信部１５４を制御して携帯機器１０１に送信する。
【０１３８】
画像管理部１６４は、モード管理部１６３によりセレクトモードが設定されている場合、通信部１５４を制御し、ユーザにより選択された画像のファイル名を携帯機器１０１に送信する。
【０１３９】
画像管理部１６４は、モード管理部１６３によりリアクションモードが設定されている場合、通信部１５４を制御し、リアクションが付けられた画像のファイル名とリアクション情報を携帯機器１０１に送信する。
【０１４０】
画像管理部１６４は、スタンバイモード時、携帯機器１０１から送信されてきた画像を通信部１５４を制御して受信し、メモリ１５３に記憶させる。
【０１４１】
表示制御部１６５は、操作検出部１６１により検出されたユーザの操作と、変位検出部１６２により検出された筐体の向き、筐体に加えられた変位に基づいて、ディスプレイ１１の表示を制御する。
【０１４２】
例えば、表示制御部１６５は、モード管理部１６３によりカメラモードが設定されている場合、カメラ３２により取り込まれ、画像管理部１６４から供給された画像をディスプレイ１１に表示させる。
【０１４３】
表示制御部１６５は、モード管理部１６３によりセレクトモードが設定されている場合、左側面のスイッチ４２Ｌと右側面のスイッチ４２Ｒを押したまま筐体が傾けられる毎に、図１３を参照して説明したようにしてディスプレイ１１の表示を切り替える。
【０１４４】
表示制御部１６５は、モード管理部１６３によりリアクションモードが設定されている場合、筐体が振られることに応じて、ディスプレイ１１に表示させている画像の状態を図１５および図１６を参照して説明したようにして変化させる。
【０１４５】
＜携帯機器の動作＞
ここで、以上のような構成を有する携帯機器１の動作について説明する。同じ処理が、携帯機器１０１においても行われる。
【０１４６】
［全体の動作］
はじめに、図２０のフローチャートを参照して、ユーザの操作に応じて動作モードを設定し、各動作モードの処理を行う携帯機器１の処理について説明する。図２０の処理は、例えばスタンバイモードが設定されているときに開始される。
【０１４７】
ステップＳ１において、操作検出部１６１は、携帯機器１の筐体が触られたか否かをタッチセンサ４１による検出結果に基づいて判定し、触られたと判定するまで待機する。
【０１４８】
筐体が触られたとステップＳ１において判定された場合、ステップＳ２において、モード管理部１６３は、携帯機器１の動作モードを基本ビューモードに遷移させる。携帯機器１の筐体が触られた場合、そのことを表す情報が操作検出部１６１からモード管理部１６３に供給される。
【０１４９】
ステップＳ３において、表示制御部１６５は、最後に同期画像として選択された画像をディスプレイ１１に表示させる。例えば、スタンバイモード時に携帯機器１０１において撮影され、携帯機器１０１から送信されてきた画像がメモリ１５３に記憶されている場合、その画像がメモリ１５３から読み出され、同期画像として表示される。
【０１５０】
ステップＳ４において、操作検出部１６１は、上側面のスイッチ４２Ｔと下側面のスイッチ４２Ｂが同時に押されたか否かを判定する。
【０１５１】
上側面のスイッチ４２Ｔと下側面のスイッチ４２Ｂが同時に押されたとステップＳ４において判定された場合、ステップＳ５において、モード管理部１６３は、携帯機器１の動作モードをカメラモードに遷移させる。
【０１５２】
ステップＳ６において、カメラモード時の処理が各部により行われる。ステップＳ６において行われるカメラモード時の処理については図２１のフローチャートを参照して後述する。
【０１５３】
一方、上側面のスイッチ４２Ｔと下側面のスイッチ４２Ｂが同時に押されていないとステップＳ４において判定した場合、ステップＳ７において、モード管理部１６３は、左側面のスイッチ４２Ｌと右側面のスイッチ４２Ｒが同時に押されたか否かを判定する。
【０１５４】
左側面のスイッチ４２Ｌと右側面のスイッチ４２Ｒが同時に押されたとステップＳ７において判定された場合、ステップＳ８において、モード管理部１６３は、携帯機器１の動作モードをセレクトモードに遷移させる。
【０１５５】
ステップＳ９において、セレクトモード時の処理が各部により行われる。ステップＳ９において行われるセレクトモード時の処理については図２２のフローチャートを参照して後述する。
【０１５６】
一方、左側面のスイッチ４２Ｌと右側面のスイッチ４２Ｒが同時に押されていないとステップＳ７において判定した場合、ステップＳ１０において、モード管理部１６３は、携帯機器１の筐体が振られたか否かを加速度センサ１５２による検出結果に基づいて判定する。
【０１５７】
携帯機器１の筐体が振られたとステップＳ１０において判定した場合、ステップＳ１１において、モード管理部１６３は、携帯機器１の動作モードをリアクションモードに遷移させる。
【０１５８】
ステップＳ１２において、リアクションモード時の処理が各部により行われる。ステップＳ１２において行われるリアクションモード時の処理については図２３のフローチャートを参照して後述する。
【０１５９】
ステップＳ１０において携帯機器１の筐体が振られていないと判定された場合、ステップＳ３に戻り、以上の処理が繰り返される。ステップＳ６においてカメラモード時の処理が行われた後、ステップＳ９においてセレクトモード時の処理が行われた後、ステップＳ１２においてリアクションモード時の処理が行われた後も同様に、ステップＳ３以降の処理が行われる。
【０１６０】
［カメラモード時の処理］
次に、図２１のフローチャートを参照して、図２０のステップＳ６において行われるカメラモード時の処理について説明する。
【０１６１】
ステップＳ２１において、表示制御部１６５は、カメラ３２により取り込まれ、画像管理部１６４から供給された画像をディスプレイ１１に表示させる。
【０１６２】
ステップＳ２２において、画像管理部１６４は、上側面のスイッチ４２Ｔと下側面のスイッチ４２Ｂが同時に押されたか否かを判定する。上側面のスイッチ４２Ｔと下側面のスイッチ４２Ｂが同時に押されていないとステップＳ２２において判定された場合、ステップＳ２１に戻り、取り込み画像の表示が続けられる。
【０１６３】
一方、上側面のスイッチ４２Ｔと下側面のスイッチ４２Ｂが同時に押されたとステップＳ２２において判定した場合、ステップＳ２３において、画像管理部１６４は、カメラ３２に撮影を行わせる。
【０１６４】
ステップＳ２４において、画像管理部１６４は、撮影によって得られた画像を同期画像としてメモリ１５３に記憶させる。
【０１６５】
ステップＳ２５において、画像管理部１６４は、通信部１５４を制御し、撮影によって得られた画像を携帯機器１０１に送信する。その後、図２０のステップＳ６に戻り、それ以降の処理が行われる。
【０１６６】
以上の処理により、携帯機器１のユーザは、カメラ３２によって撮影した画像を、撮影を行う毎に、アップロードの操作などを行うことなく自動的に携帯機器１０１に送信することができる。
【０１６７】
［セレクトモード時の処理］
次に、図２２のフローチャートを参照して、図２０のステップＳ９において行われるセレクトモード時の処理について説明する。
【０１６８】
ステップＳ４１において、表示制御部１６５は、メモリ１５３から画像を読み出し、図１２に示すようにして並べて表示させる。
【０１６９】
ステップＳ４２において、表示制御部１６５は、左側面のスイッチ４２Ｌと右側面のスイッチ４２Ｒを押したまま筐体が傾けられたか否かを判定し、筐体が傾けられたと判定するまで待機する。
【０１７０】
左側面のスイッチ４２Ｌと右側面のスイッチ４２Ｒを押したまま筐体が傾けられたとステップＳ４２において判定した場合、ステップＳ４３において、表示制御部１６５は、図１３を参照して説明したようにして画像の表示を切り替える。これにより、複数の画像が連動して位置をずらして表示される。
【０１７１】
ステップＳ４４において、画像管理部１６４は画像が選択されたか否かを判定する。画像が選択されていないとステップＳ４４において判定された場合、ステップＳ４２に戻り、それ以降の処理が繰り返される。
【０１７２】
一方、左側面のスイッチ４２Ｌと右側面のスイッチ４２Ｒから指を離すなどして画像が選択されたとステップＳ４４において判定した場合、ステップＳ４５において、画像管理部１６４は、選択された画像のファイル名を携帯機器１０１に送信する。その後、図２０のステップＳ９に戻り、それ以降の処理が行われる。
【０１７３】
以上の処理により、携帯機器１のユーザは、相手とやりとりしていた画像の中から所定の画像を見つけて選択するだけで、その画像のファイル名を自動的に携帯機器１０１に送信することができる。
【０１７４】
［リアクションモード時の処理］
次に、図２３のフローチャートを参照して、図２０のステップＳ１２において行われるリアクションモード時の処理について説明する。
【０１７５】
ステップＳ３１において、表示制御部１６５は、リアクションを付けるために筐体が振られることに応じて、ディスプレイ１１の画像の状態を変化させる。リアクションの入力は、数秒などの所定の時間だけ行うことが可能とされる。
【０１７６】
ステップＳ３２において、画像管理部１６４は、リアクション情報とリアクションが付けられた画像のファイル名を携帯機器１０１に送信する。その後、図２０のステップＳ１２に戻り、それ以降の処理が行われる。
【０１７７】
以上の処理により、携帯機器１のユーザは、相手から送信されてきた画像に対してリアクションを付け、リアクションの情報を自動的に携帯機器１０１に送信することができる。
【０１７８】
［受信時の処理］
次に、図２４のフローチャートを参照して、携帯機器１０１から送信されてきた情報を受信する携帯機器１の処理について説明する。
【０１７９】
ステップＳ５１において、画像管理部１６４は、カメラモード時に撮影された画像が携帯機器１０１から送信されてきたか否かを判定する。
【０１８０】
携帯機器１０１から画像が送信されてきたとステップＳ５１において判定した場合、ステップＳ５２において、画像管理部１６４は、携帯機器１０１から送信されてきた画像を受信する。受信された画像はメモリ１５３に供給され、記憶される。
【０１８１】
その後、図２０の処理が行われ、ステップＳ２において基本ビューモードが設定された場合、表示制御部１６５は、携帯機器１０１から送信されてきた画像を同期画像としてディスプレイ１１に表示させる。この同期画像の表示がステップＳ３において行われる。
【０１８２】
一方、携帯機器１０１から画像が送信されてきていないとステップＳ５１において判定した場合、ステップＳ５３において、画像管理部１６４は、セレクトモード時に選択された画像のファイル名が携帯機器１０１から送信されてきたか否かを判定する。
【０１８３】
画像のファイル名が送信されてきたとステップＳ５３において判定した場合、ステップＳ５４において、画像管理部１６４は、携帯機器１０１から送信されてきた画像のファイル名を受信する。受信されたファイル名はメモリ１５３に供給され、記憶される。
【０１８４】
その後、図２０の処理が行われ、ステップＳ２において基本ビューモードが設定された場合、表示制御部１６５は、携帯機器１０１から送信されてきたファイル名により識別される画像をメモリ１５３から読み出し、同期画像としてディスプレイ１１に表示させる。この同期画像の表示がステップＳ３において行われる。
【０１８５】
一方、画像のファイル名が送信されてきていないとステップＳ５３において判定した場合、ステップＳ５５において、画像管理部１６４は、リアクションモード時に画像に付けられたリアクションを表すリアクション情報とリアクションが付けられた画像のファイル名が携帯機器１０１から送信されてきたか否かを判定する。
【０１８６】
リアクション情報と画像のファイル名が送信されてきたとステップＳ５５において判定した場合、ステップＳ５６において、画像管理部１６４は、リアクション情報と画像のファイル名を受信する。受信されたリアクション情報とファイル名はメモリ１５３に供給され、紐付けて記憶される。
【０１８７】
その後、図２０の処理が行われ、ステップＳ２において基本ビューモードが設定された場合、表示制御部１６５は、携帯機器１０１から送信されてきたファイル名により識別される画像を、同期画像として、リアクション情報により表されるリアクションを付けた形でディスプレイ１１に表示させる。この同期画像の表示がステップＳ３において行われる。
【０１８８】
ステップＳ５２，Ｓ５４，Ｓ５６において携帯機器１０１から送信されてきた情報が受信された後、または、ステップＳ５５においてリアクション情報と画像のファイル名が送信されてきていないと判定された場合、ステップＳ５１に戻り、以上の処理が繰り返される。
【０１８９】
以上の一連の処理により、携帯機器１のユーザと携帯機器１０１のユーザは、画像を通してコミュニケーションを図ることができる。
【０１９０】
＜変形例＞
携帯機器１と携帯機器１０１の間のやりとりが、携帯機器１と携帯機器１０１を対応付けて管理する管理サーバ１０３を介して行われるものとしたが、双方の機器の間で直接行われるようにしてもよい。この場合、携帯機器１には、自身に対応付けられている機器が携帯機器１０１であることを表す情報が登録され、携帯機器１０１には、自身に対応付けられている機器が携帯機器１であることを表す情報が登録される。機器の対応付けが、一方の携帯機器に他方の携帯機器の識別情報を入力するなどしてユーザにより行われるようにしてもよい。
【０１９１】
また、以上においては、２つの携帯機器の間で画像を同期させる場合について説明したが、３つ以上の携帯機器の間で画像を同期させるようにしてもよい。
【０１９２】
さらに、上述したような画像の同期が、図１等を参照して説明したような外観を有する携帯機器により行われるものとしたが、スマートフォンなどの携帯端末により行われるようにしてもよい。この場合、画像の同期を実現するためのアプリケーションが携帯端末にインストールされ、携帯端末の対応付けが行われた後、上述したような画像の同期が行われる。
【０１９３】
以上においては、上側面のスイッチ４２Ｔと下側面のスイッチ４２Ｂが押されたときにカメラモードが設定されるものとしたが、左側面のスイッチ４２Ｌと右側面のスイッチ４２Ｒが押されたときにカメラモードが設定されるようにしてもよい。また、左側面のスイッチ４２Ｌと右側面のスイッチ４２Ｒが押されたときにセレクトモードが設定されるものとしたが、上側面のスイッチ４２Ｔと下側面のスイッチ４２Ｂが押されたときにセレクトモードが設定されるようにしてもよい。
【０１９４】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１９５】
図２５は、上述した一連の処理をプログラムにより実行するコンピュータのハードウェアの構成例を示すブロック図である。
【０１９６】
CPU(Central Processing Unit)２０１、ROM(Read Only Memory)２０２、RAM(Random Access Memory)２０３は、バス２０４により相互に接続されている。
【０１９７】
バス２０４には、さらに、入出力インタフェース２０５が接続されている。入出力インタフェース２０５には、キーボード、マウスなどよりなる入力部２０６、ディスプレイ、スピーカなどよりなる出力部２０７が接続される。また、入出力インタフェース２０５には、ハードディスクや不揮発性のメモリなどよりなる記憶部２０８、ネットワークインタフェースなどよりなる通信部２０９、リムーバブルメディア２１１を駆動するドライブ２１０が接続される。
【０１９８】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０１９９】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０２００】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０１】
本技術の実施の形態は、上述した実施の形態に限定されるものではなく、本技術の要旨を逸脱しない範囲において種々の変更が可能である。
【０２０２】
例えば、本技術は、１つの機能をネットワークを介して複数の装置で分担、共同して処理するクラウドコンピューティングの構成をとることができる。
【０２０３】
また、上述のフローチャートで説明した各ステップは、１つの装置で実行する他、複数の装置で分担して実行することができる。
【０２０４】
さらに、１つのステップに複数の処理が含まれる場合には、その１つのステップに含まれる複数の処理は、１つの装置で実行する他、複数の装置で分担して実行することができる。
【０２０５】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【符号の説明】
【０２２３】
１，１０１  携帯機器，  １１  ディスプレイ，  １２  フレーム，  ３２  カメラ，  ４１Ｔ，４１Ｂ，４１Ｌ，４１Ｒ  タッチセンサ，  ４２Ｔ，４２Ｂ，４２Ｌ，４２Ｒ  スイッチ，  １５１  制御部，  １５２  加速度センサ，  １５３  メモリ，  １５４  通信部，  １６１  操作検出部，  １６２  変位検出部，  １６３  モード管理部，  １６４  画像管理部，  １６５  表示制御部
【図１】
0005845875.tif 000002
【図２】
0005845875.tif 000003
【図３】
0005845875.tif 000004
【図４】
0005845875.tif 000005
【図５】
0005845875.tif 000006
【図６】
0005845875.tif 000007
【図７】
0005845875.tif 000008
【図８】
0005845875.tif 000009
【図９】
0005845875.tif 000010
【図１０】
0005845875.tif 000011
【図１１】
0005845875.tif 000012
【図１２】
0005845875.tif 000013
【図１３】
0005845875.tif 000014
【図１４】
0005845875.tif 000015
【図１５】
0005845875.tif 000016
【図１６】
0005845875.tif 000017
【図１７】
0005845875.tif 000018
【図１８】
0005845875.tif 000019
【図１９】
0005845875.tif 000020
【図２０】
0005845875.tif 000021
【図２１】
0005845875.tif 000022
【図２２】
0005845875.tif 000023
【図２３】
0005845875.tif 000024
【図２４】
0005845875.tif 000025
【図２５】
0005845875.tif 000026